(57)【要約】  【課題】  リセットノイズの配線容量による影響を極力低減させることのできる固体撮像素子の信号処理装置を提供する。  【解決手段】  信号出力部に浮遊拡散層を備えた固体撮像素子としてのＣＣＤラインセンサ４１と、前記ＣＣＤラインセンサ４１の出力信号からリセットノイズを除去するノイズ除去回路４２を備えてなる固体撮像素子の信号処理装置であって、前記ＣＣＤラインセンサ４１と前記ノイズ除去回路４２の間に、前記ノイズ除去回路４２への出力信号レベルを、少なくとも前記浮遊拡散層を充電するリセットパルスの印加時間に対応する時間だけフィードスルーレベルに切り替えるレベル切替回路４３を備える【選択図】  図１
2007088651.tif 000002
【特許請求の範囲】
【請求項１】
信号出力部に浮遊拡散層を備えた固体撮像素子と、前記固体撮像素子の出力信号からリセットノイズを除去するノイズ除去回路を備えてなる固体撮像素子の信号処理装置であって、
前記固体撮像素子と前記ノイズ除去回路の間に、前記ノイズ除去回路への出力信号レベルを、少なくとも前記浮遊拡散層を充電するリセットパルスの印加時間に対応する時間だけフィードスルーレベルに切り替えるレベル切替回路を備えている撮像素子の信号処理装置。
【請求項２】
前記レベル切替回路は、前記固体撮像素子の出力信号を少なくとも前記リセットパルスの印加時間だけ遅延させる遅延回路と、前記ノイズ除去回路への出力信号として、前記遅延回路による遅延信号を出力するとともに、前記リセットパルスの印加時間に対応する期間だけ前記固体撮像素子の出力信号を出力するように切り替えるスイッチング回路とを備えて構成される請求項１記載の撮像素子の信号処理装置。
【請求項３】
前記レベル切替回路は、前記固体撮像素子の出力信号から少なくともフィードスルー時のレベルを保持するレベル保持回路と、前記ノイズ除去回路への出力信号として、前記固体撮像素子の出力信号を出力するとともに、前記リセットパルスの印加時間に対応する期間だけ前記レベル保持回路により保持されたフィードスルー時のレベルを出力するように切り替えるスイッチング回路とを備えて構成される請求項１記載の撮像素子の信号処理装置。
【発明の詳細な説明】
【技術分野】
【０００１】
本発明は、信号出力部に浮遊拡散層を備えた固体撮像素子と、前記固体撮像素子の出力信号からリセットノイズを除去するノイズ除去回路を備えてなる固体撮像素子の信号処理装置に関する。
【背景技術】
【０００２】
ＣＣＤ等の撮像素子により光電変換された電荷を検出して出力する回路方式としてフローティングディフージョンアンプ（ｆｌｏａｔｉｎｇ  ｄｉｆｆｕｓｉｏｎ  ａｍｐｌｉｆｉｅｒ）を用いるものがある。図８に示すようにＣＣＤと同一チップ上に構成されたＭＯＳ  ＦＥＴのゲートがＣＣＤの浮遊拡散層ＦＤ（ｆｌｏａｔｉｎｇ  ｄｉｆｆｕｓｉｏｎ）に接続されたものである。  
【０００３】
このように、信号出力部に浮遊拡散層を備えた固体撮像素子では、信号出力時に浮遊拡散層を電源電圧にチャージするリセット動作を実行する必要があり、図９に示すように、このリセット動作によるノイズであるリセットノイズが出力信号に含まれる。
【０００４】
このようなリセットノイズを除去するため、従来から相関二重サンプリング法（ＣＤＳ）、遅延雑音除去法（ＤＤＳ）、反射型遅延差雑音除去法（ＲＤＳ）等を採用したノイズ除去回路が提案されている。
【特許文献１】特開２００３−００８９９９号公報
【特許文献２】特開平０６−３５０８０４号公報
【発明の開示】
【発明が解決しようとする課題】
【０００５】
一般的に撮像素子を機器に取り付ける場合には、高い取付精度が要求されるため、僅かな振動等により位置精度がずれることの無いように、撮像素子がマウントされる基板への部品の搭載は必要最小限に止め、他の多くの電子部品が搭載された基板と信号ケーブルで接続されるように配慮されている。
【０００６】
しかし、このような信号ケーブルによる容量が撮像素子の出力信号に悪影響を与え、フィードスルー期間にリセットノイズの影響が大きく現われる結果、後段のノイズ除去回路により精度良くノイズを除去することが困難になるという問題があった。機器における各基板の配置の都合により前記信号ケーブルが長く引き回されるときには、特にその影響が大きく、改善する必要があった。
【０００７】
本発明は、上述の従来欠点に鑑み、リセットノイズの配線容量による影響を極力低減させることのできる固体撮像素子の信号処理装置を提供する点にある。
【課題を解決するための手段】
【０００８】
上述の目的を達成するため、本発明による固体撮像素子の信号処理装置の特徴構成は、特許請求の範囲の書類の請求項１に記載した通り、信号出力部に浮遊拡散層を備えた固体撮像素子と、前記固体撮像素子の出力信号からリセットノイズを除去するノイズ除去回路を備えてなる固体撮像素子の信号処理装置であって、前記固体撮像素子と前記ノイズ除去回路の間に、前記ノイズ除去回路への出力信号レベルを、少なくとも前記浮遊拡散層を充電するリセットパルスの印加時間に対応する時間だけフィードスルーレベルに切り替えるレベル切替回路を備えている点にある。
【０００９】
固体撮像素子から出力される各画素の出力信号レベルは、リセットパルスの印加時間においては、前記リセットパルスに応じた信号レベルとなっているとともに、前記リセットパルスの印加時間の終了の後、フィードスルーレベルに切り替わるが、上述の構成とすることにより、レベル切替回路が、前記リセットパルスの印加時間に固体撮像素子から出力される出力信号レベルを、フィードスルーレベルに切り替えることで、前記リセットパルスに応じた信号期間を無くすとともに、前記フィードスルーレベルとなるフィードスルー期間を長くした信号を前記ノイズ除去回路に入力することが可能となるのである。また、これにより、前記ノイズ除去回路への接続距離が長くなることで配線容量等が増加しても、前記フィードスルー期間の信号レベルを極力適正に維持することができるのである。
【００１０】
同第二の特徴構成は、同請求項２に記載した通り、上述の第一特徴構成に加えて、前記レベル切替回路は、前記固体撮像素子の出力信号を少なくとも前記リセットパルスの印加時間だけ遅延させる遅延回路と、前記ノイズ除去回路への出力信号として、前記遅延回路による遅延信号を出力するとともに、前記リセットパルスの印加時間に対応する期間だけ前記固体撮像素子の出力信号を出力するように切り替えるスイッチング回路とを備えて構成される点にあり、前記リセットパルスの印加時間に固体撮像素子から出力される出力信号レベルを、フィードスルーレベルに切り替えることが可能となるのである。
【００１１】
同第三の特徴構成は、同請求項３に記載した通り、上述の第一特徴構成に加えて、前記レベル切替回路は、前記固体撮像素子の出力信号から少なくともフィードスルー時のレベルを保持するレベル保持回路と、前記ノイズ除去回路への出力信号として、前記固体撮像素子の出力信号を出力するとともに、前記リセットパルスの印加時間に対応する期間だけ前記レベル保持回路により保持されたフィードスルー時のレベルを出力するように切り替えるスイッチング回路とを備えて構成される点にあり、前記リセットパルスの印加時間に固体撮像素子から出力される出力信号レベルを、フィードスルーレベルに切り替えることが可能となるのである。
【発明の効果】
【００１２】
以上説明した通り、本発明によれば、リセットノイズの配線容量による影響を極力低減させることのできる固体撮像素子の信号処理装置を提供することができるようになった。
【発明を実施するための最良の形態】
【００１３】
以下に本発明による固体撮像素子の信号処理装置を写真処理装置に適用した実施の形態について説明する。デジタル方式の写真処理装置は、図２に示すように、撮影済みのネガフィルム（以下、単に「フィルム」と記す。）Ｆ等から写真画像を読み取るフィルムスキャナ１と、モニタＣ１、操作卓Ｃ２、システムコントローラＣを備え、スマートメディア、コンパクトフラッシュ（登録商標)等の各種のカード型メモリやＣＤ−ＲＯＭ、ＭＯ等の磁気式や光学式の記憶媒体に対応した複数のドライバを備えた操作設定部ＯＰと、前記フィルムスキャナ１で読み取られた写真画像データに基づいて印画紙を露光、現像処理して写真プリントＰを出力するプリンタ３とからなり、フィルムスキャナ１は、操作設定部ＯＰ及びプリンタ３とからなる本体と分離して構成されている。  
【００１４】
前記プリンタ３は、図３に示すように、ロール状の印画紙Ｐが収容されたペーパーマガジン５０と、前記ペーパーマガジン５０から印画紙を引き出して搬送する複数の印画紙搬送ローラ５２と、搬送ローラ５２を駆動するモータ５４と、搬送される印画紙Ｐの感光面を露光する蛍光ビーム方式のプリントヘッド６０と、露光済みの印画紙に現像、漂白、定着の各処理を施す現像処理部６２と、現像処理された印画紙を乾燥しながら搬送する乾燥部６４と、乾燥された印画紙Ｐを最終のプリントとして排出する排出部６６とを備えて構成されている。尚、前記ペーパーマガジン５０から引き出された印画紙Ｐは、現像処理の前後何れかに配置されたカッター（図示せず）によって所定のプリントサイズにカットされて排出部６６に出力される。
【００１５】
前記プリントヘッド６０は、グリッド電圧の調節により発光が制御される蛍光体にレンズとカラーフィルタを装着した蛍光体素子を主走査方向に並べた赤色発光ブロックと緑色発光ブロックと青色発光ブロックの三列で構成してあり、前記フィルムスキャナ１により読み取られたＲ成分、Ｇ成分、Ｂ成分の各画像データに基づいて駆動制御することにより印画紙上に写真画像を生成する。
【００１６】
前記システムコントローラＣは、ＣＰＵ、ＲＯＭ、ＲＡＭ、Ｉ／Ｆ回路等でなるマイクロコンピュータシステムを備えて構成してあり、モニタＣ１に表示された各種情報に従った操作卓Ｃ２からの入力操作に基づいて、上述のフィルムスキャナ１やプリンタ３の各ブロックを所定の手順で制御して動作させる。
【００１７】
前記フィルムスキャナ１は、フィルムＦに読取用の照明光を照射する照明光学系１０、フィルムＦを搬送するフィルム搬送部２０と、当該フィルム搬送部２０により搬送されたフィルムＦに記録されたコマ画像を読み取る画像読取部３０と、前記照明光学系１０、前記フィルム搬送部２０及び前記画像読取部３０による画像読取プロセスを制御する画像読取プロセス制御手段４０を備えて構成してあり、前記画像読取プロセス制御手段４０と前記システムコントローラＣとがシステム動作を制御する制御信号ラインＬ１で接続されるとともに、前記画像読取部３０と前記システムコントローラＣとが画像データを送信する画像信号ラインＬ２で接続されている。
【００１８】
前記照明光学系１０は、フィルムＦの搬送方向である副走査方向（図３で矢印で示す）に直交する主走査方向に沿って配置した棒状のハロゲンランプ１１と、ハロゲンランプ１１からの光線束の色分布を調整する調光フィルタ１２と、同光線束をスリット状に集光するシリンドリカルレンズ１３と、強度分布を均一にする拡散板１４と、幅狭のスリット１５を備えて構成してあり、主走査方向に沿ったスリット光によりフィルムを照射する。尚、拡散板１４及びスリット１５は後述のフィルム搬送機構２０に取り付けてある。
【００１９】
前記フィルム搬送機構２０は、フィルムＦを前記スリット１５の直下のフィルム投影部に向けて搬送する複数の搬送ローラ対２１と、搬送ローラ対２１を駆動するモータ２２を備えて構成してあり、フィルムＦは前記画像読取プロセス制御手段４０により所定速度で搬送制御される。
【００２０】
前記画像読取部３０は、集光レンズ、信号出力部に浮遊拡散層を備えた固体撮像素子４１としてのＣＣＤラインセンサ４１、信号処理部３１等を備えて構成してあり、フィルムＦを透過した前記照明光学系１０からのスリット光が集光レンズによりＣＣＤラインセンサ４１上に結像され、ＣＣＤラインセンサ４１により読み取られたアナログ信号が後述する前記信号処理部３１によりデジタル信号に変換されるように構成されている。前記ＣＣＤラインセンサ４１は、透過光のＲ成分、Ｇ成分、Ｂ成分の各成分の光を選択的に通過させるカラーフィルタが夫々設けられた３列のＣＣＤラインセンサ４１で構成され、以ってフィルム上の各コマ画像がフィルムＦの搬送に伴って、Ｒ成分、Ｇ成分、Ｂ成分の各色成分に分解して読み込まれる。
【００２１】
前記システムコントローラＣによりフィルム読取指令が送られると、前記画像読取プロセス制御手段４０は、前記ハロゲンランプ１１を点灯させた後に、前記フィルム搬送機構２０によりフィルムＦを所定速度で搬送させ、前記画像読取部３０によりフィルム上に記録されたコマ画像を順次読み取り、読み取った画像データを画像信号ラインＬ２を介して前記システムコントローラＣに送信する。受信した画像データは記憶手段７０に記憶される。
【００２２】
前記記憶手段７０に記憶されたコマ画像データに所定の画像処理が施され、当該コマ画像データに基づいて駆動されるプリントヘッド６０により露光された印画紙Ｐが現像処理されて写真プリントとして出力される。
【００２３】
以下、前記信号処理部３１について、図１に示すブロック構成図、及び、図４に示すタイミングチャートに基づいて詳述する。前記信号処理部３１は、図１に示すように、前記ＣＣＤラインセンサ４１からの後述するレベル切替回路４３を介した出力信号からリセットノイズを除去するノイズ除去回路４２と、前記ＣＣＤラインセンサ４１と前記ノイズ除去回路４２の間に配置され、前記ノイズ除去回路４２への出力信号レベルを、少なくとも前記浮遊拡散層を充電するリセットパルスＲｐの印加時間に対応する時間だけフィードスルーレベルＦＬに切り替えるレベル切替回路４３を備えて構成されている。
【００２４】
尚、前記レベル切替回路４３は、前記ＣＣＤラインセンサ４１と同一の基板上にマウント設置され、前記ノイズ除去回路４２とは信号ケーブルで接続された構成となっている。
【００２５】
前記レベル切替回路４３は、前記ＣＣＤラインセンサ４１の出力信号を少なくとも前記リセットパルスＲｐの印加時間だけ遅延させる遅延回路４４と、前記ノイズ除去回路４２への出力信号として、前記遅延回路４４による遅延信号を出力するとともに、前記リセットパルスＲｐの印加時間に対応する期間だけ前記ＣＣＤラインセンサ４１の出力信号を出力するように切り替えるスイッチング回路４６を備えて構成されている。
【００２６】
尚、前記ＣＣＤラインセンサ４１から出力され、前記レベル切替回路４３へ入力されるラインセンサ信号Ｓａは、図４に示すように、前記ＣＣＤラインセンサ４１における一画素の読み取り周波数Ｆｓに基づいた、つまり、前記リセットパルスＲｐに基づいたリセット（ノイズ）期間Ｔ１、フィードスルー期間Ｔ２、データ期間Ｔ３に、それぞれリセット（ノイズ）レベルＲＬａ、フィードスルーレベルＦＬａ、データレベルＤＬａの値を示す信号となっている。
【００２７】
前記遅延回路４４は、前記ラインセンサ信号Ｓａを入力し、前記ラインセンサ信号Ｓａを前記リセットパルスＲｐの印加時間Ｔ１だけ遅延させた遅延信号Ｓｒを生成するとともに、前記遅延信号Ｓｒを前記スイッチング回路４６の接点Ｊ３に出力する。また、前記リセットパルスＲｐを入力し、前記リセットパルスＲｐを前記リセットパルスＲｐの印加時間Ｔ１だけ遅延させた遅延リセットパルスＲｒを生成するとともに、前記遅延リセットパルスＲｒを前記スイッチング回路４６に出力する。
【００２８】
前記スイッチング回路４６は、当該スイッチング回路４６の接点Ｊ２に入力されてくる前記ラインセンサ信号Ｓａと、当該スイッチング回路４６の接点Ｊ３に入力されてくる遅延信号Ｓｒを、前記遅延リセットパルスＲｒに応じて接点Ｊ１に選択入力することで、リセットレス信号Ｓｎ１を生成し、それを前記ノイズ除去回路４２へ出力する。
【００２９】
つまり、前記スイッチング回路４６は、前記遅延リセットパルスＲｒの印加時間Ｔ５に対応する期間に対しては、前記接点Ｊ２に入力されてくる前記ラインセンサ信号Ｓａを接点Ｊ１に選択入力し、他の期間に対しては、前記接点Ｊ３に入力されてくる前記遅延信号Ｓｒを接点Ｊ１に選択入力することで、前記ラインセンサ信号Ｓａよりも前記リセットパルスＲｐの印加時間だけ遅延してはいるものの、前記リセット（ノイズ）期間Ｔ１におけるリセット（ノイズ）レベルＲＬａがフィードスルーレベルＦＬａに置換処理されたリセットレス信号Ｓｎ１を生成し、それを前記ノイズ除去回路４２へ出力する。
【００３０】
ここで、前記レベル切替回路４３は、上述したように前記ＣＣＤラインセンサ４１と同一の基板上にマウント設置されているため、前記ＣＣＤラインセンサ４１から出力される前記ラインセンサ信号Ｓａを、極力最短の長さで、つまり、極力寄生容量を排除した状態で入力することが可能となっている。つまり、前記ラインセンサ信号Ｓａは、その波形が極力歪まされることなく、前記レベル切替回路４３に入力されることとなるため、前記レベル切替回路４３は、より歪の小さい前記リセットレス信号Ｓｎ１を生成出力することができる。
前記ノイズ除去回路４２は、前記レベル切替回路４３からから出力されるアナログ信号としての前記リセットレス信号Ｓｎ１におけるフィードスルーレベルＦＬａ及びデータレベルＤＬａをそれぞれサンプリングするＡＤ変換手段３２と、前記ＡＤ変換手段３２によりＡＤ変換されたフィードスルーレベルＦＬｄとデータレベルＤＬｄの差分データを導出する差分演算手段３３と、前記差分演算手段３３により導出された差分データを所定レベルに増幅する増幅手段としての増幅演算手段３４とを備えて構成されている。
【００３１】
前記ＡＤ変換手段３２は、前記ＣＣＤラインセンサ４１における一画素の読み取り周波数Ｆｓの２倍の周波数のクロック信号ＣＬＫ１に基づいて、アナログ信号としての前記リセットレス信号Ｓｎ１におけるフィードスルーレベルＦＬａ及びデータレベルＤＬａをそれぞれサンプリングし、デジタル信号として変換して出力する。つまり、前記ＡＤ変換手段３２は、前記リセットレス信号Ｓｎ１におけるフィードスルーレベルＦＬａとデータレベルＤＬａとに同期した前記クロック信号ＣＬＫ１に基づいて、アナログ信号としてのフィードスルーレベルＦＬａとデータレベルＤＬａとを交互にサンプリングし、デジタル信号としてのフィードスルーレベルＦＬｄとデータレベルＤＬｄとを交互に出力する。
前記差分演算手段３３は、前記ＡＤ変換手段３２により変換されたデジタル信号としての前記フィードスルーレベルＦＬｄと前記データレベルＤＬｄとの差分データを導出することで、前記フィードスルーレベルＦＬｄと前記データレベルＤＬｄに重畳されているリセットノイズ（不図示）等を除去するもので、例えば、前記クロック信号ＣＬＫ１に基づいて動作する第一のフリップフロップ回路３６に一旦ホールドされて出力される前記ＡＤ変換手段３２により変換されたデジタル信号Ｄ（ｔ）から、同じく前記クロック信号ＣＬＫ１に基づいて動作する第二のフリップフロップ回路３７により前記クロック信号ＣＬＫ１の一周期分遅延したデジタル信号Ｄ（ｔ−１）を生成し、減算器３８により前記デジタル信号Ｄ（ｔ）から前記デジタル信号Ｄ（ｔ−１）を減算することで差分データを導出するとともに、第三のフリップフロップ回路３９により、前記クロック信号ＣＬＫ１の半分の周波数のクロック信号ＣＬＫ２に同期して、前記差分データを出力する。
つまり、前記差分演算手段３３は、前記第二のフリップフロップ回路３７と前記減算器３８が、前記ＡＤ変換手段３２によりデジタル信号として交互に出力される前記フィードスルーレベルＦＬｄと前記データレベルＤＬｄとの差分データとしての前記フィードスルーレベルＦＬｄから前記データレベルＤＬｄを減算したＰＤ差分データと前記データレベルＤＬｄから前記フィードスルーレベルＦＬｄを減算したＤＰ差分データとを導出し、前記第三のフリップフロップ回路３９が、前記ＰＤ差分データと前記ＤＰ差分データの何れか一方の差分データのみを前記クロック信号ＣＬＫ２に基づいてホールドし、前記ホールドした差分データを前記増幅演算手段３４に出力する。
【００３２】
前記増幅演算手段３４は、前記差分演算手段３３から出力された差分データを所定レベルに増幅するもので、所定の差分データが予め設定されたレベルとなるように増幅率が設定され、前記増幅率に基づいてデジタル演算することで前記差分データを所定レベルに増幅する。尚、前記増幅率は、当該フィルムスキャナの起動時に前記ハロゲンランプ１１における光量のリファレンス測定を行い、前記リファレンス測定により得られた光量に応じて、或いは、フィルムの地肌色等のリファレンス測定を行い、前記リファレンス測定により得られたフィルムの地肌色等に応じて、再設定される構成としてもよい。種々の条件に対応する増幅率に調整することで安定した画像データを出力することが可能となる。
【００３３】
つまり、前記ノイズ除去回路４２は、より歪が小さく、また、前記リセット（ノイズ）レベルが前記フィードスルーレベルに置換処理されている前記リセットレス信号Ｓｎ１における前記フィードスルーレベルと前記データレベルをサンプリングすることにより、前記ＣＣＤラインセンサ４１がマウントされている基板と、当該ノイズ除去回路４２との間が比較的長い信号ケーブルで接続されることで、前記レベル切替回路４３を介さないと図５に示すように前記リセット（ノイズ）期間Ｔ１における前記リセット（ノイズ）レベルが前記フィードスルーレベルに影響を及ぼすようなときであっても、前記リセットレス信号Ｓｎ１においては、前記リセット（ノイズ）期間Ｔ１における前記リセット（ノイズ）レベルが前記フィードスルーレベルに影響を及ぼすことがなく、前記フィードスルーレベルを極力適正に維持するため、サンプリング精度を向上することができるとともに、より精度の高い画像データを出力することができる。
【００３４】
以下、別の実施形態について説明する。上述の実施形態では、前記レベル切替回路４３が、前記ＣＣＤラインセンサ４１の出力信号を少なくとも前記リセットパルスＲｐの印加時間だけ遅延させる遅延回路４４と、前記ノイズ除去回路４２への出力信号として、前記遅延回路４４による遅延信号を出力するとともに、前記リセットパルスＲｐの印加時間に対応する期間だけ前記ＣＣＤラインセンサ４１の出力信号を出力するように切り替えるスイッチング回路４６を備えた構成について説明したが、以下、前記レベル切替回路４３が、図６に示すように、前記ＣＣＤラインセンサ４１の出力信号から少なくともフィードスルー時のレベルを保持するレベル保持回路４７と、前記ノイズ除去回路４２への出力信号として、前記ＣＣＤラインセンサ４１の出力信号を出力するとともに、前記リセットパルスＲｐの印加時間に対応する期間だけ前記レベル保持回路４７により保持されたフィードスルー時のレベルを出力するように切り替えるスイッチング回路４８とを備えた構成について説明する。尚、便宜上、前記レベル切替回路４３をレベル切替回路４９として、符号を代えて説明する。
【００３５】
前記スイッチング回路４８は、前記ＣＣＤラインセンサ４１から入力されてくるラインセンサ信号Ｓａを、所定のタイミングで前記レベル保持回路４７に入力する第一スイッチＳＷ１と、前記ＣＣＤラインセンサ４１から入力されてくるラインセンサ信号Ｓａと前記レベル保持回路４７から入力されてくる後述する保持信号Ｈｒに基づいてリセットレス信号Ｓｎ１を生成出力する第二スイッチＳＷ２を備えて構成されている。
前記第一スイッチＳＷ１は、当該第一スイッチＳＷ１の接点Ｋ１に入力されてくる前記ラインセンサ信号Ｓａを、前記ラインセンサ信号Ｓａのフィードスルー期間Ｔ２と同期しているフィードスルー期間選択パルスＦｒに基づいて、当該第一スイッチＳＷ１の接点Ｋ２に入力することで、図７に示すように、フィードスルーレベルＦＬからなるフィードスルーレベルパルスＦｐを生成し、前記レベル保持回路４７へ出力する。
【００３６】
前記レベル保持回路４７は、前記スイッチング回路４８から入力されてくるフィードスルーレベルパルスＦｐに基づいてフィードスルーレベルＦＬを保持するとともに、前記保持しているフィードスルーレベルＦＬを保持信号Ｈｓとして、前記第二スイッチＳＷ２の接点Ｌ３に入力する。
【００３７】
前記第二スイッチＳＷ２は、当該第二スイッチＳＷ２の接点Ｌ２に入力されてくる前記ラインセンサ信号Ｓａと、当該第二スイッチＳＷ２の接点Ｌ３に入力されてくる保持信号Ｈｓを、前記リセットパルスＲｐに応じて接点Ｌ１に選択入力することで、リセットレス信号Ｓｎ２を生成し、それを前記ノイズ除去回路４２へ出力する。
【００３８】
つまり、前記第二スイッチＳＷ２は、前記リセットパルスＲｐの印加時間Ｔ１に対応する期間に対しては、前記接点Ｌ３に入力されてくる前記保持信号Ｈｓを接点Ｌ１に選択入力し、他の期間に対しては、前記接点Ｌ２に入力されてくる前記ライセンサ信号Ｓａを接点Ｌ１に選択入力することで、前記リセット（ノイズ）期間Ｔ１におけるリセット（ノイズ）レベルＲＬａがフィードスルーレベルＦＬａに置換処理されたリセットレス信号Ｓｎ２を生成し、それを前記ノイズ除去回路４２へ出力する。
上述した実施形態は、本発明の一例に過ぎず、本発明の作用効果を奏する範囲において各ブロックの具体的構成等を適宜変更設計できることは言うまでもない
【図面の簡単な説明】
【００３９】
【図１】信号処理部の説明図
【図２】写真処理装置の外観説明図
【図３】写真処理装置のブロック構成図
【図４】信号処理部での各信号のタイミングチャート
【図５】サンプリング精度が向上する原理の説明図
【図６】別実施形態における信号処理部の説明図
【図７】別実施形態における信号処理部での各信号のタイミングチャート
【図８】フローティングディフージョンアンプの説明図
【図９】固体撮像素子からの出力信号の説明図
【符号の説明】
【００４０】
１：フィルムスキャナ
３１：信号処理部
３２：ＡＤ変換手段
３３：差分演算手段
３４：増幅演算手段
３５：ＣＤＳ演算手段
３６：第一のフリップフロップ回路
３７：第二のフリップフロップ回路
３８：減算器
３９：第三のフリップフロップ回路
４１：ラインセンサ
４２：ノイズ除去回路
４３、４９：レベル切替回路
４４：遅延回路
４６、４８：スイッチング回路
【図１】
2007088651.tif 000003
【図２】
2007088651.tif 000004
【図３】
2007088651.tif 000005
【図４】
2007088651.tif 000006
【図５】
2007088651.tif 000007
【図６】
2007088651.tif 000008
【図７】
2007088651.tif 000009
【図８】
2007088651.tif 000010
【図９】
2007088651.tif 000011